(57)【要約】      （修正有）【課題】着用したときに、骨盤を軽く前傾させて背筋が真っ直ぐとなるような意識付けを行わせる加圧力が強力に働く機能を有する骨盤サポート機能付きショーツを提供する。【解決手段】肌と接する前後の身生地にパワーネットを使用し、前側身生地１ａの前面にはそれぞれ上辺をウエスト部２に縫着し左右両側端を両脇の縦縫目線３，４に縫着して両脇の一方から他方へ向かって次第に細くなるテーパ状に上方に傾斜してなる下辺を内側へ所定幅５ａで折り返したテーパ状のパワーネット生地よりなる第１傾斜布５と、この第１傾斜布５と対称形のテーパ状の第２傾斜布６とを設ける。着用したときに、下腹部において、この第１傾斜布５と第２傾斜布６との下辺折返し部分５ａ，６ａを互いに前後に交差させるようにして重ね合わせ、また、後側身生地１ｂの内側には、ウエスト部分２上端縁から所定幅で左右両側端を両脇の縦縫目線に縫着してなるパワーネットの腰帯片を重ね合わせて、パワーネットによる二重生地とする。【選択図】図１
0003197736.tif 000002
【実用新案登録請求の範囲】
【請求項１】
肌と接する前後の身生地にパワーネットを使用し、前側身生地の前面にはそれぞれ上辺をウエスト部に縫着し左右両側端を両脇の縦縫目線に縫着して両脇の一方から他方へ向かって次第に細くなるテーパ状に上方に傾斜してなる下辺を内側へ所定幅で折り返したテーパ状のパワーネット生地よりなる第１傾斜布と、この第１傾斜布と対称形のテーパ状の第２傾斜布とを設け、着用したときに、下腹部において、この第１傾斜布と第２傾斜布との上記下辺折返し部分を互いに前後に交差させるようにして重ね合わせ、この下腹部においては、第１及び第２傾斜布のそれぞれ下辺折返し部の交差部分と前側身生地との計５重のパワーネット生地が使用され、また、後側身生地の内側には、ウエスト部分上端縁から所定幅で左右両側端を両脇の縦縫目線に縫着してなるパワーネットの腰帯片を重ね合わせて、パワーネットによる二重生地とし、上記ショーツ前側のウエスト部分下側のパワーネットによる二重生地と共に腰回りを締め付け、これを着用したときに、上記した前側の第１傾斜布とこれと対称形の第２傾斜布の下辺折返し部分のパワーネット二重生地によるたすき掛けによる引っ張り合いにより、前側全体が下方へ引っ張られ、しかも臀部の山を覆う一重のパワーネットの伸張により、ウエストの前側は低く、後側は高くなって、ウエスト部分は前方から後方へ向かって上方へ傾斜するように構成してなることを特徴とする骨盤サポート機能付きシツ。
【請求項２】
前記後側身生地の下辺を前記第１及び第２傾斜布の下辺折返し部と同幅で内側に折り返し、股布部分以外の足口部をパワーネットの折返し部で形成してなる請求項１記載の骨盤サポート機能付きショーツ。
【考案の詳細な説明】
【技術分野】
【０００１】
本考案は、着用したときに、骨盤を軽く前傾させて背筋を真っ直ぐとさせるような意識付けを行わせる加圧力が下腹部とウエスト部分下側と臀部に働く機能を有する骨盤サポート機能付きショーツに関するものである。
【背景技術】
【０００２】
従来から、ガードル機能のあるショーツが種々提案されているが、それらはもっぱら身生地の内側の所定個所に部分的に、例えば臀部の二つの膨らみの下側部分や下腹部分等に伸縮力の強いパワーネットを配置縫着して、ヒップアップ効果や下腹の膨らみを押える効果を有するようにしており、足口部では身生地とパワーネットとを互いに縫着しているため、この部分にゴロツキが生じて、着用感が悪く、着用した際に、太腿部分に締め付け跡が残ったり、アウターウエアの外側から足口の縫着部分の位置が分かってしまい、甚だ体裁も悪かった。
【０００３】
また、骨盤が後方へ倒れると、骨盤が上半身より前に出て背中が丸くなり、姿勢が悪くなってしまうが、従来のいわゆるガードルショーツでは、ヒップアップや下腹の締め付けのみを追求したもので、パワーネット生地で骨盤全体を包み込んで骨盤をサポートし、骨盤を少し前傾させる姿勢となるような意識付けを行わせるようにして、背筋が真っ直ぐに伸びて正しい姿勢をとり易くなるようにしたものはなかった。
【０００４】
そこで、本出願人には、先に登録実用新案第３１７８７２７号公報で、腰回りを一周するパワーネット生地からなる腰ベルトの前側部分に前中心から両脇方向へ向かって次第に細幅となるダーツを形成し、該腰ベルトの上下幅を腹部側は浅く、臀部側は深くとるようにして、腰ベルト全体が腹部側から臀部側に向って斜め上方へ傾斜するように形成し、これにより、着用したときに、骨盤を少し前傾させるような意識付けを行わせる加圧力を付与して、美しい姿勢が取れ易くなるショーツを提案した。
【０００５】
しかし、この方法では、骨盤周りに対する加圧力がベルト部分にしかかからず、より効果が得られる加圧の場所、強弱の変化がつけにくかった。
【先行技術文献】
【特許文献】
【０００６】
【特許文献１】登録実用新案第３１７８７２７号公報
【特許文献２】特許第３８１１９０４号公報
【考案の概要】
【考案が解決しようとする課題】
【０００７】
本考案も、ヒップアップ効果や下腹の膨らみを押える効果を単に発揮させることを主眼とするものではなく、着用したときに、上記の先行実用新案よりも、骨盤を軽く前傾させて背筋が真っ直ぐとなるような意識付けを行わせる加圧力が更見てもアウターに影響をに効果的に働く機能を有し、しかも太腿部分に締め付け跡が残ったり、外部から与えない新規なショーツを提案するものである。
【課題を解決するための手段】
【０００８】
そのため、本考案では、ショーツ全体にパワーネット生地を用いるもので、肌と接する前後の身生地にパワーネットを使用し、前側身生地の前面にはそれぞれ上辺をウエスト部に縫着し左右両側端を両脇の縦縫目線に縫着して両脇の一方から他方へ向かって次第に細くなるテーパ状に上方に傾斜してなる下辺を内側へ所定幅で折り返したテーパ状のパワーネット生地よりなる第１傾斜布と、この第１傾斜布と対称形のテーパ状の第２傾斜布とを設け、着用したときに、下腹部において、この第１傾斜布と第２傾斜布との上記下辺折返し部分を互いに前後に交差させるようにして重ね合わせ、この下腹部においては、第１及び第２傾斜布のそれぞれ下辺折返し部の交差部分と前側身生地との計５重のパワーネット生地が使用されて、下腹部をより強めに押さえる。
【０００９】
また、後側身生地の内側には、ウエスト部分上端縁から所定幅で左右両側端を両脇の縦縫目線に縫着してなるパワーネットの腰帯片を重ね合わせて、パワーネットによる二重生地とし、上記ショーツ前側のウエスト部分下側のパワーネットによる二重生地と共に腰回りを強く締め付け、これを着用したときに、上記した前側の第１傾斜布とこれと対称形の第２傾斜布の下辺折返し部分のパワーネット二重生地によるたすき掛けによる引っ張り合いにより、前側全体が下方へ引っ張られ、しかも臀部の山を覆う一重のパワーネットの伸張により、ウエストの前側は低く、後側は高くなって、ウエスト下側部分は前方から後方へ向かって上方へ傾斜することとなり、このウエスト下の腰回りを一周する二重のパワーネットによる傾斜ラインによる締め付けにより、骨盤を前傾させて背筋を伸ばす力が働くこととなる。
【００１０】
そして、上記後側身生地の下辺を上記第１及び第２傾斜布の下辺折返し部と同幅で内側に折り返し、股布部分以外の足口部をパワーネットの折返し部で形成して、足口部のゴロツキ感を無くすると共に、臀部を下方から持ち上げてヒップアップ効果をさらに強化する。
【考案の効果】
【００１１】
このように、本考案に係るショーツによれば、上記したパワーネットを前で交差する事により、下腹部を５重のパワーネットで的確に押さえ、ウエストに近い腰回りの二重のパワーネットによる傾斜ラインの締付けによって、このショーツを着用したときに、ウエスト部分の前側が低く、後側が高くなる傾斜縁を形成することにより、骨盤を前傾させて背筋を真っ直ぐとさせる意識付けを行い、美しく健康的な姿勢を得ることができるのである。
【００１２】
また、本考案では、左右対称形のテーパ状の第１及び第２傾斜布の下辺折返し部とこれと同幅の後側身生地の下辺折返し部とにより、股布の鼠径部と共に足口部を形成してなるので、着用した際に、足口部にごろつきがなく、また太腿部分に締め付け跡が残ったり、アウターウエアの外側から足口部の位置が分かってしまうようなこともない。
【図面の簡単な説明】
【００１３】
【図１】本考案に係る骨盤サポート機能付きショーツの一例を示す正面説明図である。
【図２】同・背面説明図である。
【図３】本考案ショーツを着用した状態の側面説明図である。
【考案を実施するための形態】
【００１４】
図１は、本考案に係るショーツの一実施例を示す正面図であり、本考案のショーツは、股布７の内面に縫着される綿天竺等の肌に優しい生地、及びウエスト部分２最外側にウエストを１周するように縫着される装飾用の帯状のレース生地８以外は、全て伸縮力の強いパワーネット生地により構成されている。
【００１５】
１ａは前側のパワーネットの身生地で、該前側身生地１ａは股布７の後端縫着部７ａまで延長され（図２参照）、該前側身生地１ａの前面にはそれぞれ上辺をウエスト部２上端縁に縫着し左右両側端を両脇の縦縫目線３，４に縫着して両脇の一方から他方へ向かって次第に細くなるテーパ状に下辺が上方に傾斜してなる該下辺部分を内側へ所定幅（例えば３〜５ｃｍ）５ａで折り返したテーパ状のパワーネット生地よりなる第１傾斜布５と、この第１傾斜布５と同様に下辺を内側へ所定幅６ａで折り返した対称形のテーパ状の第２傾斜布６とを設ける。
【００１６】
この第１傾斜布５と第２傾斜布６との上記下辺折返し部分５ａ．６ａの上縁部は、それぞれその傾斜布５，６に縫着５ｂ，６ｂし、また、この両傾斜布５，６の上記下辺折返し部分５ａ．６ａが、着用した際にめくり上がらないように、股布７の両側鼠径部に縫止め５ｃ．６ｃしておく。
【００１７】
そして、このショーツを着用したときに、下腹部において、この第１傾斜布５と第２傾斜布６との上記下辺折返し部分５ａ．６ａどうしをたすき掛け状に互いに前後に交差させるようにして重ね合わせ、この下腹部においては、第１及び第２傾斜布５，６のそれぞれ下辺折返し部５ａ．６ａの２重生地の交差部分と前側身生地１ａとにより、計５重のパワーネット生地が使用されて、下腹部を強力に押さえる。
【００１８】
一方、後側身生地１ｂの内面には、ウエスト部分２上端縁から所定幅（例えば１０〜１５ｃｍ）で左右両側端を両脇の縦縫目線に縫着してなるパワーネットの腰帯片（９）が重ね合わされ、その下縁を後側身生地１ｂの左右臀部の山の相応個所よりやや上方位置で縫着１０して、後側身生地１ｂと共にパワーネットによる二重生地としてある。
【００１９】
そして、この後側身生地１ｂのパワーネットによる二重生地と、上記ショーツ前側のウエスト部分２下側のパワーネットによる前側身生地１ａとその外側に重なる上記第１及び第２傾斜布５，６の上部とによる五重生地と共に、腰回りを締め付け、これを着用したときには、上記した前側の第１傾斜布５とこれと対称形の第２傾斜布６の下辺折返し部分５ａ．６ａのパワーネットの二重生地によるたすき掛けで、その引っ張り合いにより、このショーツを着用したときに、ショーツの前側全体が下方へ引っ張られ、しかも後側身生地１ｂの臀部の山を覆う一重のパワーネットの伸張により、ウエスト２の前側は低く、後側は高くなって、ウエスト部分２は腹部側から臀部側に向って斜め上方に傾斜することとなり、このウエスト２下の腰回りを一周する二重のパワーネットによる傾斜ラインによる締め付けにより、骨盤を前傾させて背筋を伸ばす力が働くこととなる。
【００２０】
また、上記後側身生地１ｂの下辺１ｃを上記第１及び第２傾斜布の下辺折返し部５ａ．６ａとほぼ同幅あるいはそれより幅広で内側に折り返し、股布７部分以外の足口部をこのパワーネットの下辺折返し部１ｃで形成して、足口部のゴロツキ感を無くすると共に、臀部を下方から強力に押し上げてヒップアップ効果をさらに強化すると共に、前側の下辺折返し部５ａ．６ａと後側の身生地１ｂの下辺折返し部１ｃにより、着用したときに、足口部にはゴロツキ感が無く、太腿部分に締め付け跡が残ったり、アウターウエアの外側から足口の縫着部分の位置が分かってしまうようなこともない。
【００２１】
また、ウエスト部２の外側には腰回りを一周する所定幅の飾り用のレース生地８を縫着する。
【符号の説明】
【００２２】
１ａ−パワーネットの前側身生地
１ｂ−パワーネットの後側身生地
２−ウエスト部分
３−右脇の縦縫目線
４−左脇の縦縫目線
５−第１傾斜布
５ａ−第１傾斜布の下辺折返し部
６−第２傾斜布
６ａ−第２傾斜布の下辺折返し部
７−股布
８−ウエストレース
９−後側のパワーネットの腰帯片
１０−縫着部
【図１】
0003197736.tif 000003
【図２】
0003197736.tif 000004
【図３】
0003197736.tif 000005
【手続補正書】
【提出日】平成27年4月1日(2015.4.1)
【手続補正１】
【補正対象書類名】実用新案登録請求の範囲
【補正対象項目名】請求項１
【補正方法】変更
【補正の内容】
【請求項１】
肌と接する前後の身生地にパワーネットを使用し、前側身生地の前面にはそれぞれ上辺をウエスト部に縫着し左右両側端を両脇の縦縫目線に縫着して両脇の一方から他方へ向かって次第に細くなるテーパ状に上方に傾斜してなる下辺を内側へ所定幅で折り返したテーパ状のパワーネット生地よりなる第１傾斜布と、この第１傾斜布と対称形のテーパ状の第２傾斜布とを設け、着用したときに、下腹部において、この第１傾斜布と第２傾斜布との上記下辺折返し部分を互いに前後に交差させるようにして重ね合わせ、この下腹部においては、第１及び第２傾斜布のそれぞれ下辺折返し部の交差部分と前側身生地との計５重のパワーネット生地が使用され、また、後側身生地の内側には、ウエスト部分上端縁から所定幅で左右両側端を両脇の縦縫目線に縫着してなるパワーネットの腰帯片を重ね合わせて、パワーネットによる二重生地とし、前側身生地のウエスト部分下側に設けられたパワーネットの上記第１及び第２傾斜布による二重生地と共に腰回りを締め付け、これを着用したときに、上記した前側の第１傾斜布とこれと対称形の第２傾斜布の下辺折返し部分のパワーネット二重生地によるたすき掛けによる引っ張り合いにより、前側全体が下方へ引っ張られ、しかも臀部の山を覆う一重のパワーネットの伸張により、ウエストの前側は低く、後側は高くなって、ウエスト部分は前方から後方へ向かって上方へ傾斜するように構成してなることを特徴とする骨盤サポート機能付きショーツ。